(57)【要約】【課題】ＬＥＤ２２ａ（光源）から出射した光の漏れを防止する。【解決手段】文字板２３を照明するためにＬＥＤ２２ａ（光源）から出射した光のうち、回路基板２４に隔壁部２５ａ（ランプハウジング２５）が突き当たった下部接触面２６ａ（接触面）に向かう光を、回路基板２４上に、ＬＥＤ２２ａの周囲に亘って形成したはんだ盛り４０ａ（光遮蔽部）によって遮ることにより、別のＬＥＤ２２ｂ，２２ｃの周囲に形成された照明室２７ｂ，２７ｃへの光の漏れ出しを防止する。【選択図】図５
2016166763.tif 000002
【特許請求の範囲】
【請求項１】
文字板と、
前記文字板の裏面側に設置された回路基板と、
前記回路基板に実装されて、前記文字板を透過照明する少なくとも一つの光源と、
前記回路基板と前記文字板との間に介在して、前記文字板の裏面側を、前記各光源にそれぞれ対応する領域に区画する隔壁部と、を備えて、前記各光源の周囲の前記回路基板上に、前記各光源からの光のうち、前記隔壁部に前記回路基板が突き当たった接触面に向かう光を遮る光遮蔽部を形成し、前記光遮蔽部をはんだ盛りによって形成したことを特徴とする車両用表示装置。
【請求項２】
前記光遮蔽部は、前記回路基板上において、前記接触面の内周側、外周側、もしくは前記接触面と重複する位置、のうち少なくとも１か所に形成されることを特徴とする請求項１に記載の車両用表示装置。
【請求項３】
前記光遮蔽部は、前記接触面において前記回路基板と前記隔壁部との間に生じる隙間の高さよりも高く形成されることを特徴とする請求項１または請求項２に記載の車両用表示装置。
【発明の詳細な説明】
【技術分野】
【０００１】
この発明は、文字板を照明する光の漏れを防止することが可能な車両用表示装置に関するものである。
【背景技術】
【０００２】
自動車や二輪車などの車両には、車両の速度等を表示する車両用表示装置が設けられている。このような車両用表示装置として、例えば、特許文献１に記載されたように、回路基板の表面に設置した光源から出射した光を、この光源の周囲を取り囲むように形成された隔壁部で反射させながら文字板の裏面に導いて、文字板を裏面側から照明する構造を有するものが知られている。
【先行技術文献】
【特許文献】
【０００３】
【特許文献１】特開２００２−１７８７９０号公報
【発明の概要】
【発明が解決しようとする課題】
【０００４】
しかしながら、特許文献１に記載された車両用表示装置によると、光源から出射した光のうち、光源が実装された回路基板と光源の周囲に設けられた隔壁部とが接触する隔壁部の下端面に生じた隙間から光が漏れて、隣接する隔壁部に進入する虞があった。このような漏れ光が発生すると、隣接する隔壁部の内部が、漏れ光によって光ってしまう虞があった。
【０００５】
本発明は上記事情に鑑みなされたもので、光源から出射した光が、隣接する隔壁部の内部に漏れ出すことのない車両用表示装置を提供することを目的とする。
【課題を解決するための手段】
【０００６】
本発明に係る車両用表示装置は、文字板と、前記文字板の裏面側に設置された回路基板と、前記回路基板に実装されて、前記文字板を透過照明する少なくとも一つの光源と、前記回路基板と前記文字板との間に介在して、前記文字板の裏面側を、前記各光源にそれぞれ対応する領域に区画する隔壁部と、を備えて、前記各光源の周囲の前記回路基板上に、前記各光源からの光のうち、前記隔壁部に前記回路基板が突き当たった接触面に向かう光を遮る光遮蔽部を形成し、前記光遮蔽部をはんだ盛りによって形成したことを特徴とする。
【発明の効果】
【０００７】
本発明に係る車両用表示装置によれば、上記構成としたことによって、各光源から出射した光のうち、各光源の周囲に形成された、回路基板に隔壁部が突き当たって形成された接触面に向かう光は、回路基板上に、各光源の周囲に亘ってはんだ盛りで形成された光遮蔽部によって遮られるため、隣接する隔壁部の内部に進入することがない。したがって、他の光源によって照明されるべき文字板上の領域が、漏れ光によって照明される現象を防止することができる。
【図面の簡単な説明】
【０００８】
【図１】本発明の一実施形態である車両用表示装置としてのヘッドアップディスプレイ装置が設置された車室前部を車両後方側から見た図である。
【図２】図１の車室前部の縦断面構造を示す断面図である。
【図３】図１のヘッドアップディスプレイ装置の分解斜視図である。
【図４】図１のヘッドアップディスプレイ装置の内部構造を示す断面図である。
【図５】図４の表示ユニットの内部構造を示す断面図である。
【図６】図５のＡ−Ａ断面を示す断面図である。
【図７Ａ】本発明の一実施形態である実施例１の第１変形例である表示ユニットの内部構造を示す断面図である。
【図７Ｂ】本発明の一実施形態である実施例１の第２変形例である表示ユニットの内部構造を示す断面図である。
【図７Ｃ】本発明の一実施形態である実施例１の第３変形例である表示ユニットの内部構造を示す断面図である。
【発明を実施するための形態】
【０００９】
以下、本発明に係る車両用表示装置の具体的な実施例１について、図１から図６を参照して説明する。
【実施例１】
【００１０】
［車両用表示装置の構造の説明］
図１は、本発明に係る車両用表示装置としてのヘッドアップディスプレイ装置４の外観図である。また、図２はその縦断面構造を示す断面図である。
【００１１】
図１の外観図および図２の断面図に示すように、自動車などの車両には、車室１内の前部に、フロントウインドウガラス２が設けられている。このフロントウインドウガラス２の下方には、インストルメントパネル３が設けられている。
【００１２】
そして、車両には、ヘッドアップディスプレイ装置４が取り付けられている。このヘッドアップディスプレイ装置４は、表示ユニット５ａ（図２）で形成された表示６を車両の前方に投影させるようにしたものである。図１は、表示６として、車速やエンジン回転数などを表示可能な数値表示１５と、複数の目盛等によって燃料残量や交差点までの残距離などを表示可能な目盛表示１６と、矢印等によって走行経路を表示可能な経路表示１７を表示した例である。
【００１３】
本実施例では、ヘッドアップディスプレイ装置４は、前述したインストルメントパネル３の内部に設置するものとされる。そして、図２に示すように、ヘッドアップディスプレイ装置４の内部に設けられた表示ユニット５ａで形成された表示６（表示情報）をインストルメントパネル３に形成された開口部７を通して、開口部７の上方に投影させる。本実施例では、後述するコンバイナ８に向かって投影させるようにしている。
【００１４】
ここで、インストルメントパネル３の運転席側の部分には、計器装置（メータユニット９）やステアリングホイール（ハンドル）などが設置されている。図１の例では右ハンドル車とされているが、左ハンドル車であってもよい。
【００１５】
ヘッドアップディスプレイ装置４は、上記したように、正面を向いて運転している乗員の視界内（のメータユニット９よりも高い位置）に、運転に必要な情報を表示させるようにしたものである。表示ユニット５ａは、表示する情報を形成して、開口部７を通してコンバイナ８に投影する。本実施例で使用する表示ユニット５ａの詳細な構造については後述する。開口部７は、インストルメントパネル３の上面に、ヘッドアップディスプレイ装置４の設置位置の上部に予め形成されている。
【００１６】
このヘッドアップディスプレイ装置４は、図３，図４に示すようなものであり（主に、図３の分解斜視図を参照）、表示ユニット５ａを収容するケーシング１１と、このケーシング１１の上端側の開口に設置される枠状のフィニッシャー１２と、このフィニッシャー１２の上部に設置されるコンバイナ８と、ケーシング１１の下端側の開口に取付けられるカバー部材１３（底部カバー）と、コンバイナ８を開閉駆動するステップモータ等からなる開閉駆動装置３７とで主に構成されている。
【００１７】
本実施例では、表示ユニット５ａは、ほぼ上向きの真っ直ぐな光路によってコンバイナ８へ表示６（図１）を投影するために、ケーシング１１の底部に上向きに設置されている。これにより、ケーシング１１内の光路を短くして、ケーシング１１の小型化や構造簡略化を図ることができる。ケーシング１１は、前後左右の側壁部（即ち、前壁部１１ａ、後壁部、左壁部、右壁部）を有する平面視ほぼ横長矩形状の中空筒体などとされる。
【００１８】
コンバイナ８は、図２に示すように、表示ユニット５ａで形成された表示６を投影させるための反射板である。すなわち、コンバイナ８は、表示ユニット５ａから投影された表示６を、コンバイナ８と表示ユニット５ａの間の距離の分だけコンバイナ８の前方側の位置に虚像として結像させて視認させるものとなっている。なお、コンバイナ８の角度は、表示ユニット５ａのほぼ上向きに設置された表示面と、前方に結像されるほぼ縦向きの表示６の中間の角度に設定される。また、表示ユニット５ａで形成された表示６は、コンバイナ８に前後反転して投影されることになる。なお、コンバイナ８は、図２に矢印Ｐで示すように、運転者から見て前方側を支端として開閉可能に設置される。運転者は、情報が必要なときに、コンバイナ８を開いて、表示６を確認することができる。
【００１９】
コンバイナ８は、熱に強い樹脂製またはガラス製の平坦な板状のものとして、フロントウインドウガラス２とは別に設けられる。コンバイナ８は、その反射面に、高価なハーフミラーや多層膜誘電体などの増反射膜を施して表面反射率を３０％〜６０％程度に上げるのが一般的である。これに対し、本実施例では、増反射膜などを施さないことで表面反射率を低いまま（例えば７％程度）にしている。
【００２０】
この場合、コンバイナ８は、好ましくは、黒色板または黒色系スモーク板などとされる。この黒色板は、光透過率が０％またはこれに近いものとされる。黒色系スモーク板は、無色不透明のものとされる。なお、コンバイナ８には、無色透明のものなどを使用することもできる。この場合には、上記した増反射膜などを施すのが好ましい。
【００２１】
フィニッシャー１２は、ヘッドアップディスプレイ装置４をインストルメントパネル３の開口部７内へ上方から挿入することで、開口部７の縁部を覆い隠すように設置される。そのために、フィニッシャー１２は、開口部７よりも一回り大きなものとされると共に、その下面側に、インストルメントパネル３の曲面形状に合わせた３次元形状の合わせ部分（下縁部）を有するものとされる。
【００２２】
カバー部材１３は、ケーシング１１とは別体に設けられて、ケーシング１１の底壁部を構成するように設置される。この場合には、カバー部材１３は、表示ユニット５ａを構成する文字板２３と回路基板２４とランプハウジング２５を一体に組付けた状態にして、ケーシング１１に一度に取付けるものとされている。
【００２３】
図３において、文字板２３は、ランプハウジング２５の上部接触面２９に接着剤によって接着固定される。また、回路基板２４はランプハウジング２５の下部接触面２６に当接された状態で、ランプハウジング２５とカバー部材１３とが突き合わされて、隅部がネジ止めによって固定される。すなわち、ランプハウジング２５は、回路基板２４と文字板２３の間に介在した状態で固定される。なお、ランプハウジング２５の内部構造については後述する。
【００２４】
表示ユニット５ａは、図４に示すように、複数の表示形成部２１（セグメント）を組合わせて、複数種類の表示６を形成できるようにしたものであり、具体的には、蛍光管式のものや、セグメント型液晶パネルやパッシブマトリクス型液晶パネルなどが存在している。本実施例では、上記したものと比べて安価となり、また、コストをかけずに輝度を高くできるものとして、表示ユニット５ａに、複数のＬＥＤ２２（光源）と、複数のＬＥＤ２２からの光を透過させる複数の表示形成部２１を有する文字板２３を用いるようにしている。ＬＥＤ２２は、点灯することによって複数の表示形成部２１をそれぞれ個別に表示させるもの（個別光源）とされる。なお、本実施例にあっては、できるだけ明るい表示６を得るために、高輝度ＬＥＤが用いられる。
【００２５】
例えば、数値表示１５の場合、表示形成部２１（セグメント）は、数字の「８」字状に配置された７つのセグメントによって構成することができる（７セグメント型表示器）。目盛表示１６の場合、表示形成部２１は、複数のセグメントを連続してバーグラフ状などに並べることによって構成することができる。経路表示１７の場合、図１に示すように、点や線や矢印状をしたセグメントを適宜配置することによって各種の走行経路を表示可能にしたものとすることができる。なお、表示形成部２１は、上記以外のもの（例えば、漢字やアルファベットによる表記（例えば、ｋｍ／ｈ）など）を含むこともできる。
【００２６】
ＬＥＤ２２（光源）は、回路基板２４の基板面に実装される。そして、回路基板２４と文字板２３の間には、回路基板２４の上面と文字板２３の下面に対して、それぞれ密着するようにランプハウジング２５が設置される。すなわち、ランプハウジング２５の上面は、文字板２３の下面に密着している。また、ランプハウジング２５の下面は、回路基板２４の表面に密着している。そして、このランプハウジング２５には、ＬＥＤ２２毎に独立して複数の表示形成部２１をそれぞれ照明する複数の照明室２７が形成される。このランプハウジング２５は、例えば、反射率の高い滑らかな表面を有する白色樹脂によって構成される。
【００２７】
表示形成部２１（セグメント）は、上記した各種の表示６を形成できるようにするために、文字板２３に複数設けられた光透過部とされる。表示形成部２１は、その表示目的や表示内容に応じて、（個別にまたは全体的に）無色透明のものとしたり、有色透明のものとしたりすることができる。文字板２３は、例えば、透明な樹脂製の板に、表示形成部２１を残して不透光性の印刷層を形成したものとされる。
【００２８】
コンバイナ８は、運転者から見て前方側を支端として設置されて、ステップモータ等の開閉駆動装置３７によって矢印Ｐで示す方向に開閉可能に設置される。
［表示ユニットの詳細構造と作用の説明］
【００２９】
次に、表示ユニット５ａの詳細な構造と作用について、図５，図６を用いて説明する。
【００３０】
図５は、表示ユニット５ａの内部構造を示す縦断面である。図６は、図５を切断線Ａ−Ａで切った断面図である。
【００３１】
図５，図６に示すように、ランプハウジング２５は、回路基板２４と文字板２３との間に立設して、隔壁部２５ａ，２５ｂ，２５ｃによって形成される、四角錐形状の、複数の照明室２７ａ，２７ｂ，２７ｃを形成している。
【００３２】
各照明室２７ａ，２７ｂ，２７ｃの下部は、下部接触面２６（接触面）において回路基板２４と密着している。この下部接触面２６は、図６に示すように、正方形状をなしている。
【００３３】
そして、照明室２７ａ，２７ｂ，２７ｃの上部は、正方形状の上部接触面２９において文字板２３と密着している。
【００３４】
各照明室２７ａ，２７ｂ，２７ｃの底部には、回路基板２４上に、それぞれ１個のＬＥＤ２２（光源）が配置されている。図５の例では、照明室２７ａにはＬＥＤ２２ａ（光源）が配置され、照明室２７ｂにはＬＥＤ２２ｂ（光源）が配置され、照明室２７ｃにはＬＥＤ２２ｃ（光源）が配置されている。すなわち、隔壁部２５ａ，２５ｂ，２５ｃは、それぞれ、文字板２３の裏面側を、ＬＥＤ２２ａ，２２ｂ，２２ｃにそれぞれ対応する領域に区画している。
【００３５】
図５に示すように、各照明室２７ａ，２７ｂ，２７ｃの左右辺縁は、回路基板２４側から文字板２３側に向けて、それぞれ角度θ１（例えば３〜５°）の広がりを有しており、各照明室２７ａ，２７ｂ，２７ｃが照明する表示形成部２１（セグメント）の裏面側に均一に光を照射して、文字板２３を透過照明する。
【００３６】
なお、角度θ１を有する各照明室２７ａ，２７ｂ，２７ｃの広がりは、文字板２３の近傍において、図５の拡大図に示すように、より小さい角度θ２（例えば０．５〜１．５°）に形成される。これは、ＬＥＤ２２ａ，２２ｂ，２２ｃ（光源）から出射した光が、文字板２３とランプハウジング２５の上部接触面２９に漏れ出して、隣接する照明室に進入しないようにするためである。すなわち、各照明室２７ａ，２７ｂ，２７ｃを構成する立壁状の左右辺縁を、より鉛直に近い状態で文字板２３と密着させるようにしている。
【００３７】
一方、ランプハウジング２５の回路基板２４側の端部は、下部接触面２６ａ，２６ｂ，２６ｃ（接触面）において回路基板２４と密着しているため、理想的には下部接触面２６ａ，２６ｂ，２６ｃを通して光が漏れ出すことはない。しかしながら、成形条件や成形後の変形等によって、ランプハウジング２５に歪や撓みが生じたときには、ランプハウジング２５と回路基板２４の間に微小な隙間が生じる虞がある。そして、本実施例における図１のヘッドアップディスプレイ装置４は、明るい表示６（図１）を生成するために、高輝度なＬＥＤ２２（光源）を用いるため、微小な隙間であっても、その隙間を通して多くの光が漏れ出す虞がある。
【００３８】
そのため、各照明室２７ａ，２７ｂ，２７ｃの下部接触面２６ａ，２６ｂ，２６ｃ（接触面）のうち、照明室２７ａ，２７ｂ，２７ｃの内側に面する領域が下部接触面２６ａ，２６ｂ，２６ｃの全周に亘って切り欠かれて、切欠部２８（２８ａ，２８ｂ，２８ｃ）が形成されている。そして、この切欠部２８ａ，２８ｂ，２８ｃと回路基板２４に挟まれた空間には、回路基板２４上にはんだ盛り４０ａ，４０ｂ，４０ｃ（光遮蔽部）が形成されている。
【００３９】
このとき、ランプハウジング２５の回路基板２４側の端部は、下部接触面２６ａ，２６ｂ，２６ｃ（接触面）において回路基板２４と密着している。そして、切欠部２８ａ，２８ｂ，２８ｃにおいてはんだ盛り４０ａ，４０ｂ，４０ｃ（光遮蔽部）と密着している。すなわち、はんだ盛り４０ａ，４０ｂ，４０ｃは、下部接触面２６ａ，２６ｂ，２６ｃと重複する位置に、回路基板２４とランプハウジング２５（隔壁部２５ａ，２５ｂ，２５ｃ）との間に生じる隙間の高さよりも高くなるように形成されている。
【００４０】
前記した隙間は、ランプハウジング２５の歪や撓み等によって生じるものであって、意図して生じるものではないため、生じる可能性のある隙間の高さを経験的に予測して、予測される隙間の高さを超える高さのはんだ盛り４０ａ，４０ｂ，４０ｃ（光遮蔽部）を形成しておくのが望ましい。さらに、ランプハウジング２５に形成する切欠部２８ａ，２８ｂ，２８ｃの高さ（高さ方向の切欠量）は、はんだ盛り４０ａ，４０ｂ，４０ｃの高さを超えないように設定されて、はんだ盛り４０ａ，４０ｂ，４０ｃの高さ方向の頂点が、切欠部２８ａ，２８ｂ，２８ｃに確実に接触するように調整される。形成するはんだ盛り４０ａ，４０ｂ，４０ｃの高さは、例えば、回路基板２４に形成するランドの太さによって調整することができる。すなわち、太いランドにはんだ盛りを形成すると、高いはんだ盛りを形成することができる。
【００４１】
このような密着構造を形成することによって、ＬＥＤ２２ａ，２２ｂ，２２ｃ（光源）から出射した光のうち、下部接触面２６ａ，２６ｂ，２６ｃ（接触面）に向かう光は、はんだ盛り４０ａ，４０ｂ，４０ｃ（光遮蔽部）に遮られて下部接触面２６ａ，２６ｂ，２６ｃに進入することができない。したがって、光が下部接触面２６ａ，２６ｂ，２６ｃに漏れ出して、隣接する照明室に進入し、隣接する照明室において照明されるべき表示形成部２１（セグメント）を誤って照明しないようにすることができる。例えば、図５において、ＬＥＤ２２ａから出射した光が照明室２７ｂ，２７ｃに漏れ出さないようにすることができる。
【００４２】
なお、はんだ盛り４０ａ，４０ｂ，４０ｃ（光遮蔽部）に当たった光は、照明室２７ａ，２７ｂ，２７ｃの内部に向かって反射する。そして、反射した光のうち、表示形成部２１（セグメント）に向かう光は、文字板２３を透過照明して表示６（図１）の形成に寄与する。
【００４３】
このはんだ盛り４０ａ，４０ｂ，４０ｃ（光遮蔽部）は、回路基板２４の表面に盛り付けた溶融はんだを冷却することによって形成することができる。したがって、回路基板２４上に配線パターンやグランドパターンを形成するのと同時に形成することができるため、特別な設備や手続きを用いることなく、容易に形成することができる。
【００４４】
次に、実施例１の変形例について、図７Ａ，図７Ｂ，図７Ｃを用いて説明する。前述した実施例１では、はんだ盛り４０ａ，４０ｂ，４０ｃ（光遮蔽部）をランプハウジング２５の下部接触面２６ａ，２６ｂ，２６ｃ（接触面）の一部に形成した切欠部２８ａ，２８ｂ，２８ｃの位置に設けたが、はんだ盛り４０ａ，４０ｂ，４０ｃを設ける位置はこの位置に限定されるものではない。以下、はんだ盛りを設ける位置がそれぞれ異なる３種類の変形例について説明する。
［実施例１の変形例の説明］
【００４５】
図７Ａは実施例１の第１変形例である表示ユニット５ｂの内部構造を示す断面図である。表示ユニット５ｂの基本的な構造は、前述した表示ユニット５ａ（図５）と同じであるが、はんだ盛り４０ａ，４０ｂ，４０ｃ（光遮蔽部）（図５）の代わりに、はんだ盛り４２ａ，４２ｂ，４２ｃ（光遮蔽部）が設けられている点のみが異なっている。
【００４６】
すなわち、図７Ａに示す構造では、はんだ盛り４２ａ，４２ｂ，４２ｃ（光遮蔽部）は、各照明室２７ａ，２７ｂ，２７ｃから見て、下部接触面２６ａ，２６ｂ，２６ｃ（接触面）の外周側に、ＬＥＤ２２ａ，２２ｂ，２２ｃ（光源）を取り囲むように設けられている。
【００４７】
このようなはんだ盛り４２ａ，４２ｂ，４２ｃ（光遮蔽部）を設けることによって、ＬＥＤ２２ａ，２２ｂ，２２ｃ（光源）から出射した光のうち、下部接触面２６ａ，２６ｂ，２６ｃ（ランプハウジング２５と回路基板２４の接触面）に生じた隙間を通過した光は、下部接触面２６ａ，２６ｂ，２６ｃを通過した後ではんだ盛り４２ａ，４２ｂ，４２ｃによって遮られるため、光が隣接する照明室に進入しないようにすることができる。例えば、図７Ａにおいて、ＬＥＤ２２ａから出射した光が照明室２７ｂ，２７ｃに漏れ出さないようにすることができる。
【００４８】
図７Ｂは実施例１の第２変形例である表示ユニット５ｃの内部構造を示す断面図である。表示ユニット５ｃの基本的な構造は、前述した表示ユニット５ａ（図５）と同じであるが、はんだ盛り４０ａ，４０ｂ，４０ｃ（図５）の代わりに、はんだ盛り４４ａ，４４ｂ，４４ｃが設けられている点のみが異なっている。
【００４９】
すなわち、図７Ｂに示す構造では、はんだ盛り４４ａ，４４ｂ，４４ｃ（光遮蔽部）は、各照明室２７ａ，２７ｂ，２７ｃの内部に、下部接触面２６ａ，２６ｂ，２６ｃ（接触面）の内周側に、ＬＥＤ２２ａ，２２ｂ，２２ｃ（光源）を取り囲むように設けられている。
【００５０】
このようなはんだ盛り４４ａ，４４ｂ，４４ｃ（光遮蔽部）を設けることによって、ＬＥＤ２２ａ，２２ｂ，２２ｃ（光源）から出射した光のうち、下部接触面２６ａ，２６ｂ，２６ｃ（ランプハウジング２５と回路基板２４の接触面）に向かう光は、下部接触面２６ａ，２６ｂ，２６ｃに到達する手前ではんだ盛り４２ａ，４２ｂ，４２ｃによって遮られるため、光が下部接触面２６ａ，２６ｂ，２６ｃに到達するのを防止することができる。すなわち、光が隣接する照明室に進入しないようにすることができる。例えば、図７Ｂにおいて、ＬＥＤ２２ａから出射した光が照明室２７ｂ，２７ｃに漏れ出さないようにすることができる。
【００５１】
図７Ｃは実施例１の第３変形例である表示ユニット５ｄの内部構造を示す断面図である。表示ユニット５ｄの基本的な構造は、前述した表示ユニット５ａ（図５）と同じであるが、はんだ盛り４０ａ，４０ｂ，４０ｃ（図５）の代わりに、はんだ盛り４６ａ，４６ｂ，４６ｃ，４８ａ，４８ｂ，４８ｃが設けられている点のみが異なっている。
【００５２】
すなわち、図７Ｃに示す構造では、はんだ盛り４６ａ，４６ｂ，４６ｃ，４８ａ，４８ｂ，４８ｃ（光遮蔽部）は、各照明室２７ａ，２７ｂ，２７ｃから見て、下部接触面２６ａ，２６ｂ，２６ｃ（接触面）の外周側および内周側に、ＬＥＤ２２ａ，２２ｂ，２２ｃ（光源）を取り囲むように設けられている。具体的には、はんだ盛り４６ａ，４６ｂ，４６ｃは、各照明室２７ａ，２７ｂ，２７ｃの内部に、下部接触面２６ａ，２６ｂ，２６ｃ（接触面）の内側に、ＬＥＤ２２ａ，２２ｂ，２２ｃ（光源）を取り囲むように設けられている。そして、はんだ盛り４８ａ，４８ｂ，４８ｃは、各照明室２７ａ，２７ｂ，２７ｃから見て、下部接触面２６ａ，２６ｂ，２６ｃ（接触面）の外側に、ＬＥＤ２２ａ，２２ｂ，２２ｃ（光源）を取り囲むように設けられている。
【００５３】
このようなはんだ盛り４６ａ，４６ｂ，４６ｃ，４８ａ，４８ｂ，４８ｃ（光遮蔽部）を設けることによって、ＬＥＤ２２ａ，２２ｂ，２２ｃ（光源）から出射した光のうち、下部接触面２６ａ，２６ｂ，２６ｃ（ランプハウジング２５と回路基板２４の接触面）に向かう光は、下部接触面２６ａ，２６ｂ，２６ｃに到達する手前ではんだ盛り４６ａ，４６ｂ，４６ｃによって遮られる。したがって、光が下部接触面２６ａ，２６ｂ，２６ｃに到達するのを防止することができる。さらに、万が一、下部接触面２６ａ，２６ｂ，２６ｃに生じた隙間を通過した光は、下部接触面２６ａ，２６ｂ，２６ｃを通過した後ではんだ盛り４８ａ，４８ｂ，４８ｃによって遮られるため、より確実に、光が隣接する照明室に進入しないようにすることができる。例えば、図７Ｃにおいて、ＬＥＤ２２ａから出射した光が照明室２７ｂ，２７ｃに漏れ出さないようにすることができる。
【００５４】
以上、説明したように、実施例１に係るヘッドアップディスプレイ装置４（車両用表示装置）によれば、文字板２３を照明するためにＬＥＤ２２ａ（光源）から出射した光のうち、回路基板２４に隔壁部２５ａ（ランプハウジング２５）が突き当たって形成された下部接触面２６ａ（接触面）に向かう光を、回路基板２４上に、ＬＥＤ２２ａの周囲に亘って形成したはんだ盛り４０ａ（光遮蔽部）によって遮るため、別のＬＥＤ２２ｂ，２２ｃの周囲に形成された照明室２７ｂ，２７ｃへの光の進入が阻止される。このようにして、ＬＥＤ２２ａから出射した光の漏れが防止されるため、他の光源によって照明されるべき文字板２３上の領域が、漏れ光によって誤って照明されることがない。そして、光遮蔽部４０ａは、はんだ盛りによって形成されるため、回路基板２４を製造する工程の中で、特別な設備や特別な工法を用いることなく、容易に形成することができる。
【００５５】
また、実施例１およびその変形例に係るヘッドアップディスプレイ装置４（車両用表示装置）によれば、光遮蔽部４０ａ，４０ｂ，４０ｃは、回路基板２４上において、下部接触面２６ａ（接触面）の内周側、外周側、もしくは下部接触面２６ａと重複する切欠部２８の位置、のうち少なくとも１か所に、ＬＥＤ２２ａの周囲に亘って形成されるため、ＬＥＤ２２ａから出射した光が他の照明室２７ｂ，２７ｃに漏れ出すことを、より一層確実に防止することができる。
【００５６】
そして、実施例１に係るヘッドアップディスプレイ装置４（車両用表示装置）によれば、光遮蔽部４０ａは、下部接触面２６ａ（接触面）において回路基板２４と隔壁部２５ａとの間に生じる隙間の高さよりも高く形成されるため、ＬＥＤ２２ａ（光源）から出射した光の漏れを確実に防止できる光遮蔽部４０ａを形成することができる。
【００５７】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。
【００５８】
例えば、本実施例は、本発明をヘッドアップディスプレイ装置４に適用した例であるが、本発明の適用範囲は、ヘッドアップディスプレイ装置４に限定されるものではなく、図１に示したメータユニット９にも本発明を適用することができる。
【００５９】
メータユニット９に設けられた、排気温度警告，油圧警告，エアバッグ警告等のウォーニング表示や、ドア表示灯，バッテリ液量表示灯，ハイビーム表示灯等のインジケータ表示を行う複数の警告灯は、メータユニット９の裏面側に備えられた回路基板に実装されたＬＥＤ等の光源から照射された光によって照明されて点灯する。このとき、光源が実装された回路基板と、警告表示用のアイコンパターンが形成された文字板の間に、実施例１で説明したのと同様のランプハウジング（隔壁部）からなる照明室が形成されて、光源からの光が特定のアイコンパターンのみに照射される構成になっている。そして、実施例１で説明したはんだ盛りで形成された光遮蔽部を、各光源の周囲に亘って形成することにより、本来は点灯するはずのないウォーニングランプが、漏れ光によってあたかも点灯しているかのように誤認される現象を未然に防ぐことができる。
【００６０】
さらに、実施例１およびその変形例では、光遮蔽部４０ａ，４０ｂ，４０ｃは、はんだ盛りによって形成されるものとして説明したが、これは、はんだ盛り以外によって形成されてもよい。例えば、回路基板２４の表面にはんだの付着防止用として塗布されるソルダーレジスト層を、ＬＥＤ２２（光源）の周囲に亘ってより厚く塗布することによって、光遮蔽部を形成することもできる。
【符号の説明】
【００６１】
５ａ・・・・・・・・・・・・・・表示ユニット
２１・・・・・・・・・・・・・・表示形成部（セグメント）
２２，２２ａ，２２ｂ，２２ｃ・・ＬＥＤ（光源）
２３・・・・・・・・・・・・・・文字板
２４・・・・・・・・・・・・・・回路基板
２５・・・・・・・・・・・・・・ランプハウジング
２５ａ，２５ｂ，２５ｃ・・・・・隔壁部
２６，２６ａ，２６ｂ，２６ｃ・・下部接触面（接触面）
２７，２７ａ，２７ｂ，２７ｃ・・照明室
２８，２８ａ，２８ｂ，２８ｃ・・切欠部
２９・・・・・・・・・・・・・・上部接触面
４０ａ，４０ｂ，４０ｃ・・・・・はんだ盛り（光遮蔽部）
【図１】
2016166763.tif 000003
【図２】
2016166763.tif 000004
【図３】
2016166763.tif 000005
【図４】
2016166763.tif 000006
【図５】
2016166763.tif 000007
【図６】
2016166763.tif 000008
【図７Ａ】
2016166763.tif 000009
【図７Ｂ】
2016166763.tif 000010
【図７Ｃ】
2016166763.tif 000011